(57)【特許請求の範囲】
【請求項１】
互いに隣接して並べられる複数の床ブロックと、
これらの床ブロックをその重なり合った頂点において下方から支持する支持脚と、
を備えた床支持装置において、
前記支持脚が、固定床上に支持される固定脚と、この固定脚から伸縮自在に伸び出しその先端で各床フレームを支持する複数の伸縮脚と、伸縮脚を任意の位置で固定脚に固定する係止手段から構成され、
前記固定脚が十字型断面を有する柱であり、
前記伸縮脚が前記固定脚により画成された４つの区画に沿って摺動する断面くの字型の柱であり、
前記固定脚の端部には前記伸縮脚を把持するレールを形成した
ことを特徴とする床支持装置。
【請求項２】
前記固定脚に固設され、前記伸縮脚を下方から支える付勢手段を備えたことを特徴とする請求項１に記載の床支持装置。
【請求項３】
前記固定脚の前記固定床に対する支持高さを調整する高さ調整手段を備えたことを特徴とする請求項１または請求項２に記載の床支持装置。
【発明の詳細な説明】
【０００１】
【発明の属する技術分野】
本発明は、劇場等で床面の高さを自由に設定できるように使用される床支持装置の改良に関する。
【０００２】
【従来の技術】
劇場等では、所定の広さに区切られた床ブロックを並べて仮設ステージを形成し、各床ブロックを継ぎ足し可能な支柱の上に支持することにより、仮設ステージの高さを自由に設定できるようにした床支持装置が用いられる。
【０００３】
このような床支持装置としては、例えば実開平３−６１０６２号公報に提案がなされている。これは具体的には図４から図６に示すようなものである。
【０００４】
図４、図５に示すように、長方形の床ブロック３１はその４隅において、４本の柱状の支持部材３２によって支持される。この床ブロック３１は、図５に示すように同じ大きさのもの複数枚が隣接して並べられることにより、仮設ステージを形成するが、この場合、床ブロック３１を支持する支持部材３２は、図６に示すように隣り合う床ブロック３１を支持する支持部材と４本づつ束ねられてピン等の連結部材で互いに固定されることにより、仮設ステージ全体の横揺れを抑えるようになっている。
【０００５】
ここで、これらの支持部材３２は、継ぎ足しまたは伸縮機構により、自由にその高さを変えることができ、仮設ステージを形成する各床ブロック３１の高さを変えることにより、ステージ全体を一平面としたり、ステージに段差を持たせたりして、自由な形態の仮設ステージを形成することができる。
【０００６】
【発明が解決しようとする課題】
しかしながら、このような従来の床支持装置では、支持部材３２の継ぎ足しまたは伸縮を人力によって行う構造となっているので、重量のある床ブロック３１および支持部材３２を持ち上げたり、固定したりする作業には複数の人員が必要となってしまう。
【０００７】
また、複数の支持部材３２を、ばらばらな状態から束ねたり、継ぎ足したりして、各床ブロック３１を支持する作業は手間がかかり、作業効率が悪い。
【０００８】
本発明は、このような問題点に着目して、仮設ステージを構成する各床ブロックの高さ変更が容易で作業効率が高められ、またこのための作業人員の削減を図り得る床支持装置を提供することを目的とする。
【０００９】
【課題を解決するための手段】
第１の発明は、互いに隣接して並べられる複数の床ブロックと、これらの床ブロックをその重なり合った頂点において下方から支持する支持脚とを備えた床支持装置において、前記支持脚が、固定床上に支持される固定脚と、この固定脚から伸縮自在に伸び出しその先端で各床ブロックを支持する複数の伸縮脚と、伸縮脚を任意の位置で固定脚に固定する係止手段から構成され、前記固定脚が十字型断面を有する柱であり、前記伸縮脚が前記固定脚により画成された４つの区画に沿って摺動する断面くの字型の柱であり、前記固定脚の端部には前記伸縮脚を把持するレールを形成した。
【００１１】
第２の発明は、前記固定脚に固設され、前記伸縮脚を下方から支える付勢手段を備えた。
【００１２】
第３の発明は、前記固定脚の前記固定床に対する支持高さを調整する高さ調整手段を備えた。
【００１３】
【作用】
第１の発明では、先端で各床ブロックを支持する複数の伸縮脚が、１本の固定脚から伸び出し、係止手段により固定脚に固定されて、それぞれの床ブロックを任意の高さへと支持するので、床ブロックの高さ調整が容易となるとともに、床ブロックの高さ調整の自由度が高められる。
また、固定脚の十字型断面により画成された各区画に、４本の伸縮脚が固定脚に沿うように配置され、これらの伸縮脚は固定脚にレールによって把持される結果、伸縮脚は固定脚に沿った直線方向の安定した軌道を案内されてそれぞれ独立に摺動するので、各伸縮脚は固定脚に対してそれぞれ任意の高さに容易に調整でき、またこのときに支持脚を分解する必要がないので、床ブロックの自由な高さ調整が効率よく行える。また、固定脚および伸縮脚はコンパクトに構成され、床ブロックの下方に場所をとらないので、床ブロック下方の空間を有効利用することができる
【００１５】
第２の発明では、伸縮脚は固定脚に固設された付勢手段によって上方に付勢されているので、床ブロックの高さ調整時に伸縮脚を伸縮させるためには小さな力で済み、床ブロックの高さ調整作業が容易となるとともに、作業人員の削減が可能となる。
【００１６】
第３の発明では、高さ調整手段により、伸縮脚の伸縮とは別に、固定脚の固定床に対する支持高さが調整されるので、固定床の傾きに対応したり、複数の床ブロックを全体として上方に持ち上げたりするなど、床ブロックの高さ調整の自由度が大きくなる。
【００１７】
【発明の実施の形態】
以下、添付図面に基づいて、本発明の実施の形態について説明する。
【００１８】
図１に示すように、長方形の板である複数の床ブロック１は、互いに隣接して並べられることによって、任意の形態の仮設ステージ２を形成する。図１には、仮設ステージ２の中央部分に切穴状の段差を形成した形態が例示してある。
【００１９】
各床ブロック１は、支持脚３によって支持されるようになっている。この支持脚３は、仮設ステージ２がその上に構築される固定床４上に垂直に固定される固定脚５と、この固定脚５から伸縮自在に伸び出す伸縮脚６とから構成されている。
【００２０】
固定脚５は、図２に示すように、断面十字型の剛性の支柱であり、この断面により画成された４つの区画７には、ぞれぞれ、断面くの字型の４本の剛性の伸縮脚６が固定脚５に沿うように配置されている。また、固定脚５の十字型断面の４つの先端部分に沿って、伸縮脚６が嵌め込まれる断面コの字型のレール８が形成されており、各伸縮脚６はこのレール８により、固定脚５の各区画７内に把持されるとともに、固定脚５に沿った方向に摺動自在とされている。
【００２１】
図３に示すように、各伸縮脚６の下端側には、それぞれ、固定脚５に固定されてステーダンパー１０が設けられる。付勢手段であるこれらのステーダンパー１０の各ロッド１１が固定脚５に沿って伸び出そうとすることにより、各ロッド１１先端に支持された各伸縮脚６が、上方に付勢されるので、重量のある伸縮脚６を上方に持ち上げたり、固定したりするも、比較的小さな力で済ませることができる。
【００２２】
また、伸縮脚６には、所定の間隔で高さ固定用穴１２が形成されており、この高さ固定用穴１２に差し込まれた図示されないピンが、この高さ固定用穴１２に対応して固定脚５の所定の高さに形成された図示されない穴へと係止されるようになっている。これにより、任意の高さへと伸縮した伸縮脚６は、その高さで強固に固定され、床ブロック１を下方から支持し続けることができる。
【００２３】
なお、固定脚５の下方にはネジジャッキ１４が固定床４上に設けられ、ハンドル１４ａを必要量だけ回転させることにより、固定脚５自体の高さを調節できるようになっている。
【００２４】
また、固定脚５の上端側と下端側には、アイプレート１５が突設されており、隣り合う固定脚５同士のアイプレート１５間に剛性の横フレーム１６を架設し、隣り合う固定脚５を連結することにより、仮設ステージ２の下方の支持強度を増すことができるようになっている。
【００２５】
このように構成された支持脚３は、床ブロック１の総ての頂点の位置に置かれ、１つの固定脚５から伸び出す４本の伸縮脚６の上端部が、それぞれ、その伸縮脚６がある区画７側の別々の床ブロック１を、その各頂点付近において下方から支持するようになっている。
【００２６】
つぎに作用を説明する。
【００２７】
仮設ステージ２を形成する各床ブロック１の高さを変更するときには、作業員は、伸縮脚６の固定脚５への固定を解き、ステーダンパー１０のロッド１１先端に支持された支持脚３の伸縮脚６を固定脚５に沿って摺動させることにより、伸縮脚６の先端に支持された床ブロック１を、上下方向に移動させる。
【００２８】
この場合、伸縮脚６はステーダンパー１０により下方から支持されており、各床ブロック１の高さ調整に必要な力は大幅に低減されるので、仮設ステージ２の形態変更は容易となり、またこれに要する人員が大幅に削減できる。
【００２９】
また、一つの支持脚３に含まれる各伸縮脚６は、固定脚５内の各レール８に把持されながら摺動して動くようになっているので、各床ブロック１のレベル設定の自由度が高まるとともに、レベル設定が容易となる。
【００３０】
また、隣り合う伸縮脚６同士が結束されることはないので、仮設ステージ２形成時に支持脚３を分解する必要がなく、作業効率が高められる。
【００３１】
さらに、各支持脚３は、十字型の固定脚５とこれに沿って延設される偏平な伸縮脚６から形成されるので、コンパクトであり、床ブロック１下方のスペースが広がり、このスペースを利用することが可能となる。
【００３２】
また、各固定脚５と固定床４の間にはネジジャッキ１４が設けられているので、伸縮脚６の伸縮とは別に、固定脚５自体の高さが任意に調節でき、固定床４の傾きに対応したり、仮設ステージ２を全体として上方に持ち上げたりするなど、仮設ステージ２の高さ調整の自由度が広くなる。
【００３３】
なお、以上の場合、伸縮脚６は固定脚５に対して独立に伸縮するので、各伸縮脚６の上端部はそれぞれ任意の別々の高さまで上昇でき、各床ブロック１は隣り合う床ブロック１と自由な段差をとって配置することができ、仮設ステージ２は自由な形態をとることができる。
【００３４】
【発明の効果】
第１の発明によれば、先端で各床ブロックを支持する複数の伸縮脚が、１本の固定脚から伸び出し、係止手段により固定脚に固定されて、それぞれの床ブロックを任意の高さへと支持するので、床ブロックの高さ調整が容易となるとともに、床ブロックの高さ調整の自由度が高められる。また固定脚の十字型断面により画成された各区画に、４本の伸縮脚が固定脚に沿うように配置され、これらの伸縮脚は固定脚にレールによって把持される結果、伸縮脚は固定脚に沿った直線方向の安定した軌道を案内されてそれぞれ独立に摺動するので、各伸縮脚は固定脚に対してそれぞれ任意の高さに容易に調整でき、またこのときに支持脚を分解する必要がないので、床ブロックの自由な高さ調整が効率よく行える。また、固定脚および伸縮脚はコンパクトに構成され、床ブロックの下方に場所をとらないので、床ブロック下方の空間を有効利用することができる。
【００３６】
第２の発明によれば、伸縮脚は固定脚に固設された付勢手段によって上方に付勢されているので、床ブロックの高さ調整時に伸縮脚を伸縮させるためには小さな力で済み、床ブロックの高さ調整作業が容易となるとともに、作業人員の削減が可能となる。
【００３７】
第３の発明によれば、高さ調整手段により、伸縮脚の伸縮とは別に、固定脚の固定床に対する支持高さが調整されるので、固定床の傾きに対応したり、複数の床ブロックを全体として上方に持ち上げたりするなど、床ブロックの高さ調整の自由度が大きくなる。
【図面の簡単な説明】
【図１】本発明の実施の形態を示す斜視図である。
【図２】同じく支持脚を示す断面図である。
【図３】同じく側面図である。
【図４】従来の床支持装置を示す斜視図である。
【図５】同じく平面図である。
【図６】同じく支持部材を示す斜視図である。
【符号の説明】
１  床ブロック
３  支持脚
４  固定床
５  固定脚
６  伸縮脚
７  区画
８  レール
１０  ステーダンパー
１２  高さ固定用穴
１４  ネジジャッキ
【図１】
0003688053.tif 000002
【図２】
0003688053.tif 000003
【図３】
0003688053.tif 000004
【図４】
0003688053.tif 000005
【図５】
0003688053.tif 000006
【図６】
0003688053.tif 000007